(57)【要約】【課題】 コネクタが固定されている開口部の隙間から行われる制御基板の不正な改造を防止することができる。【解決手段】パチンコ機に固定される基板ケース３０は、メイン制御基板３１を収容した蓋部材４０と底部材５０とを備える。蓋部材４０は、コネクタ６０が外部に露出する開口部４５を有し、この開口部４５の周縁に沿って立壁部４６が形成されている。コネクタ６０は、遮蔽部６４を有している。この遮蔽部６４の外周Ｍは、開口部４５の周縁Ｌよりも大きく形成されている。この遮蔽部６４は、基板３１に面接触するように板状に形成された板状部６５と、蓋部材４０の立壁部４６が内側に嵌り込むように形成された封止壁部６６とを備えている。この基板ケース３０では、遮蔽部６４により基板３１が開口部４５から外部に露出しない。【選択図】 図３
2010240479.tif 000002
【特許請求の範囲】
【請求項１】
制御基板に固定され配線が接続されるコネクタと、
前記コネクタが外部に露出する開口部を有し前記制御基板を収容する基板ケースと、
を備え、
前記コネクタは、前記開口部から前記制御基板を外部に露出させないように形成されている遮蔽部を有する、
遊技機。
【請求項２】
前記遮蔽部は、前記基板ケースと前記制御基板との隙間を封止するように前記開口部の周縁に沿って形成されている封止壁部を備えている、
請求項１に記載の遊技機。
【請求項３】
前記コネクタは、前記配線に接続され前記制御基板に挿入実装される接合ピンを備えており、
前記遮蔽部は、前記接合ピンの立設面と前記制御基板の基板面との間に空間ができるように形成されている、
請求項１又は２に記載の遊技機。
【発明の詳細な説明】
【技術分野】
【０００１】
本発明は、遊技機に関する。
【背景技術】
【０００２】
従来、遊技機としては、配線が接続されたコネクタを固定した制御基板を基板ケースに収容し、このコネクタが固定されている制御基板部分にカバー部材を備えたものが提案されている（例えば、特許文献１参照）。この特許文献１に記載された遊技機は、コネクタが固定されている基板部分にカバー部材を設けて制御基板の外部に露出する部分を少なくして制御基板の不正な改造を防止する。
【先行技術文献】
【特許文献】
【０００３】
【特許文献１】特開２０００−３７５０７号公報
【発明の概要】
【発明が解決しようとする課題】
【０００４】
しかしながら、この特許文献１に記載された遊技機では、コネクタとカバー部材との間にはコネクタを組み付けたりコネクタに装着される端子を取り外したりするためのクリアランスが必要であり、依然として制御基板が外部に露出する部分が存在していた。このため、コネクタが固定されている開口部の隙間から行われる制御基板の不正な改造を防止することができなかった。
【０００５】
本発明は、このような課題に鑑みなされたものであり、コネクタが固定されている開口部の隙間から行われる制御基板の不正な改造を防止することができる遊技機を提供することを目的とする。
【課題を解決するための手段】
【０００６】
本発明の遊技機は、上述の目的を達成するために以下の手段を採った。
【０００７】
手段１．本発明の遊技機は、
制御基板に固定され配線が接続されるコネクタと、
前記コネクタが外部に露出する開口部を有し前記制御基板を収容する基板ケースと、
を備え、
前記コネクタは、前記開口部から前記制御基板を外部に露出させないように形成されている遮蔽部を有する、
遊技機。
【０００８】
この遊技機では、コネクタを固定した制御基板が基板ケースに収容され、基板ケースが有する開口部からコネクタが外部に露出している。ここで、コネクタは、開口部から制御基板を外部に露出させないように形成された遮蔽部を有している。このため、開口部から制御基板が外部に露出することはない。したがって、コネクタが固定されている開口部の隙間から行われる制御基板の不正な改造を防止することができる。
【０００９】
手段２．手段１に記載の遊技機であって、前記遮蔽部の外周の輪郭部分は、前記開口部の周縁よりも大きく形成されている、遊技機。こうすれば、開口部の周縁と遮蔽部との隙間をこじ開けることも困難になるため、一層制御基板の不正な改造を防止しやすい。
【００１０】
手段３．手段１又は２に記載の遊技機であって、前記遮蔽部は、前記制御基板に面接触するように形成されている板状部を備えている、遊技機。こうすれば、制御基板が板状部によって密着して保護されるため、制御基板の不正な改造を防止しやすい。
【００１１】
手段４．手段１〜３のいずれかに記載の遊技機であって、前記遮蔽部は、前記基板ケースと前記制御基板との隙間を封止するように前記開口部の周縁に沿って形成されている封止壁部を備えている、遊技機。こうすれば、基板ケースと制御基板との隙間を利用して制御基板に不正を働くことも困難になるため、一層制御基板の不正な改造を防止しやすい。
【００１２】
手段５．手段４に記載の遊技機であって、前記基板ケースは、前記開口部の周縁に沿って形成されている封止壁部の内側に嵌り込むように形成されている立壁部を備えている、遊技機。こうすれば、相対する基板ケースと制御基板に配置された遮蔽部とにそれぞれ形成された立壁部と封止壁部とが嵌り込むため、開口部から異物などを挿入しにくく、制御基板の不正な改造を防止しやすい。
【００１３】
手段６．手段５に記載の遊技機であって、前記遮蔽部は、可撓性を有する部材により形成されている、遊技機。こうすれば、遮蔽部の封止壁部が撓むことができるため、立壁部が封止壁部に嵌りやすい。
【００１４】
手段７．手段１〜６のいずれかに記載の遊技機であって、前記制御基板には、複数のコネクタが固定され、前記複数のコネクタには、各コネクタごとに前記遮蔽部が形成されている、遊技機。こうすれば、各コネクタごとに開口部から制御基板を外部に露出させないようにすることができる。
【００１５】
手段８．手段１〜６のいずれかに記載の遊技機であって、前記コネクタは、複数のコネクタが前記遮蔽部により一体となって形成されている一体化コネクタである、遊技機。こうすれば、遮蔽部を利用して複数のコネクタを一体化することができる。
【００１６】
手段９．手段１〜８のいずれかに記載の遊技機であって、前記コネクタは、前記配線に接続され前記制御基板に挿入実装される接合ピンを備えており、前記遮蔽部は、前記接合ピンの立設面と前記制御基板の基板面との間に空間ができるように形成されている、遊技機。こうすれば、接合ピンの立設面が制御基板に接しないため、はんだ付けなどにより接合ピンを制御基板に実装する際に熱の影響を受けてコネクタが変形したり加熱されたコネクタが接合ピンに流動したりして起きる接合ピンと制御基板との接合不良を防止することができる。
【００１７】
手段１０．手段１〜９のいずれかに記載の遊技機であって、前記コネクタは、前記制御基板との取り付け用の位置決め部を備えている、遊技機。こうすれば、位置決め部を利用して、コネクタを制御基板に取り付けることができる。
【００１８】
手段１１．手段１〜１０のいずれかに記載の遊技機であって、前記基板ケースは、前記コネクタが外部に露出する開口部を有し前記制御基板を収容する蓋部材と、前記蓋部材に対してスライドして該蓋部材に一体化される底部材とを備えている、遊技機。このように、スライドして蓋部材と底部材とが一体化される基板ケースに本発明を適用することができる。
【００１９】
手段１２．手段１〜１０のいずれかに記載の遊技機であって、前記基板ケースは、前記制御基板を収容する底部材と、前記コネクタが外部に露出する開口部を有し前記底部材に対して回動して該底部材に一体化される蓋部材と、を備えている遊技機。このように、回動して蓋部材と底部材とが一体化される基板ケースでは、蓋部材の開口部が弧を描いて該開口部からコネクタが露出するため、例えばスライド式のものに比べて開口部が大きくなる。したがって、本発明を適用する意義が高い。このとき、前記遮蔽部は、可撓性の部材により形成されていることが好ましい。蓋部材が回動すると、蓋部材が弧を描いて遮蔽部に当接するためである。
【００２０】
手段１３．手段１〜１０のいずれかに記載の遊技機であって、前記基板ケースは、前記制御基板を収容する底部材と、前記コネクタが外部に露出する開口部を有し前記制御基板のうち前記コネクタが固定されている部分を覆う第１蓋部材と、前記制御基板のうち前記第１蓋部材によって覆われている部分以外の部分を覆うように形成されている第２蓋部材と、を備えている遊技機。このように、蓋部材が２つの部材からなる基板ケースに適用することができる。このとき、前記第１蓋部材及び第２蓋部材は、前記制御基板を収容し、前記底部材は、前記第１蓋部材及び第２蓋部材に対してスライドして該第１蓋部材及び第２蓋部材に一体化されてもよいし、あるいは、前記底部材は前記制御基板を収容し、前記第２蓋部材は、前記底部材に対して回動して該底部材に一体化されてもよい。また、基板ケースの蓋部材が３つ以上の部材から構成されていてもよいし、基板ケースの底部材が２つ以上の部材から構成されていてもよい。
【００２１】
手段１４．前記遊技機はパチンコ機である、手段１〜１３のいずれかに記載の遊技機。こうすれば、パチンコ機において、手段１〜１３の作用効果が得られる。ここで、パチンコ機は、いわゆる第１種、第２種、第３種と称される機種であってもよいが、これら以外の機種であってもよい。
【００２２】
手段１５．前記遊技機はスロットマシンである、手段１〜１３のいずれかに記載の遊技機。こうすれば、スロットマシンにおいて、手段１〜１３の作用効果が得られる。ここで、スロットマシンには、例えばＡタイプ（ビッグボーナスゲームが小役ゲーム３０回とＪＡＣゲーム３回のセットで構成されるタイプ）、Ｂタイプ（ビッグボーナスゲームが小役ゲーム３０回とＪＡＣゲーム２回のセットで構成されるタイプ）、Ｃタイプ（シングルボーナスが頻繁に揃うタイプ）、ＡタイプとＣタイプの複合機、ＢタイプとＣタイプの複合機などがあるが、いずれのスロットマシンであってもよいし、これらのタイプ以外のスロットマシンであってもよい。
【００２３】
手段１６．前記遊技機はパチンコ機とスロットマシンとを融合させてなる融合機である、手段１〜１３のいずれかに記載の遊技機。こうすれば、パチンコ機とスロットマシンとを融合させてなる融合機において、手段１〜１３の作用効果が得られる。ここで、融合機としては、例えば遊技媒体としてメダルの代わりに遊技球を用いるスロットマシンなどが挙げられる。
【００２４】
また、本発明は、制御基板遮蔽構造に係る発明と見ることもできる。例えば、制御基板に固定され配線が接続されるコネクタと、前記コネクタが外部に露出する開口部を有し前記制御基板を収容する基板ケースと、を備え、前記コネクタは、前記開口部から前記制御基板を外部に露出させないように形成されている遮蔽部を有する、制御基板遮蔽構造として捉えることもできる。この制御基板遮蔽構造は、上述した手段１〜１３のいずれかの構成を採用したものであってもよい。
【００２５】
あるいは、本発明は、コネクタに係る発明と見ることもできる。例えば、開口部を有し制御基板を収容する基板ケースに用いられ該開口部から外部に露出して該制御基板に固定され配線が接続されるコネクタであって、前記開口部から前記制御基板を外部に露出させないように形成されている遮蔽部、を備えているコネクタとして捉えることもできる。このコネクタは、上述した手段１〜１３のいずれかの構成を採用したものであってもよい。
【発明の効果】
【００２６】
本発明によれば、制御基板の不正な改造を防止することができる。
【図面の簡単な説明】
【００２７】
【図１】本実施例のパチンコ機２０を裏面から見た外観図である。
【図２】本実施例の基板ケース３０の分解斜視図である。
【図３】本実施例の基板ケース３０の断面図である。
【図４】本実施例のコネクタ６０の取り付け部分の分解斜視図である。
【図５】別の実施例の基板ケース３０Ｂ，３０Ｃ，３０Ｄ，３０Ｅの説明図である。
【図６】別の実施例のコネクタ６０Ｆの説明図である。
【図７】別の実施例の基板ケース３０Ｆの説明図である。
【図８】別の実施例の基板ケース３０Ｇの説明図である。
【図９】別の実施例の基板ケース３０Ｈの説明図である。
【発明を実施するための形態】
【００２８】
次に、本発明を実施するための最良の形態を実施例を用いて説明する。
【００２９】
図１は本実施例のパチンコ機２０を裏面から見た外観図であり、図２は基板ケース３０の分解斜視図であり、図３は、基板ケース３０の断面図であり、図４は、コネクタ６０の取り付け部分の分解斜視図である。パチンコ機２０は、図１に示すように、外枠２にヒンジ３を介して開閉自在に取り付けられた前枠４と、外枠２の裏側上部に取り付けられ遊技球を貯留可能なタンク６と、遊技球をタンク６から遊技球払出装置８へと導くタンクレール１０と、遊技球払出装置８を制御する払出制御基板を収容する払出制御基板ケース１２と、外枠２の裏面中央に開閉自在に取り付けられた大型カバー１４と、パチンコ機２０を制御するメイン制御基板３１（図２参照）がその内部に固定された基板ケース３０と、遊技球を遊技盤（図示せず）へ発射させるステップモータ１６とを備える。なお、大型カバー１４は、特別図柄表示装置としての液晶ディスプレイの表示制御を司る表示制御基板を収容する表示制御基板ケースや各種ランプの表示制御を司るランプ制御基板を収容するランプ制御基板ケースやスピーカからの発生音の制御を司る音声制御基板を収容する音声制御基板ケースなどが内包されている。
【００３０】
基板ケース３０は、図２に示すように、メイン制御基板３１を収容する蓋部材４０と、蓋部材４０に一体化される底部材５０とからなる。蓋部材４０は、その両端に鍔状部４３が形成されている。また、底部材５０には、その両端に蓋部材４０の鍔状部４３を嵌め込んで蓋部材４０をスライドさせるガイド部５３が形成されている。この基板ケース３０は、鍔状部４３とガイド部５３を用いてメイン制御基板３１を収容した蓋部材４０に対して底部材５０を上下方向にスライドさせ、底部材５０により閉じて封止機構（図示せず）により着脱不能に封止して一体化するものである。この基板ケース３０は、一体化された状態でパチンコ機２０の背面に固定される。
【００３１】
蓋部材４０は、透明なＰＣ（ポリカーボネート樹脂）により成形されたものであり、メイン制御基板３１の主回路を覆う主回路収容部４１と、主回路収容部４１に段差を設けて形成されメイン制御基板３１に固定されたコネクタ６０を覆うコネクタ収容部４２とを備えている。このコネクタ収容部４２には、コネクタ６０を外部に露出する開口部４５が設けられ、図３に示すように、この開口部４５からコネクタ６０に接続された配線束６３が導出される。また、コネクタ収容部４２には、図３及び図４に示すように、開口部４５の周縁に沿って、基板ケース３０に収容されるメイン制御基板３１に向かうように蓋部材４０に対して略垂直に立壁部４６が形成されている。開口部４５は、基板ケース３０を一体化させる際に、組み付けしやすいようにコネクタ６０との間に一定のクリアランスを有するように形成されている。
【００３２】
底部材５０は、透明なＰＣ（ポリカーボネート樹脂）により成形されたものであり、メイン制御基板３１の裏面の突起などに接触しないように段差部５２が形成されている。
【００３３】
メイン制御基板３１は、絶縁体からなる板の表面に電気回路の配線をプリントし、その上に部品を実装した基板である。このメイン制御基板３１には、複数のコネクタ６０（ここでは３つ）が固定されている。
【００３４】
コネクタ６０は、図３及び図４に示すように、絶縁性の材質により直方体と矩形状の受け皿とが一体となった形状に成形されたものであり、配線束６３の先端に取り付けられたコネクタ端子６２が着脱可能に差し込まれるように直方体形状の上部に形成されている端子差込口６１と、この端子差込口６１に差し込まれたコネクタ端子６２と電気的に接続されると共に裏面から突出してメイン制御基板３１の通過孔３３（図４参照）に挿入される接合ピン６７と、接合ピン６７がコネクタの裏面で立設する立設面６５ａと、開口部４５からメイン制御基板３１を外部に露出させないように矩形の受け皿状に形成されている遮蔽部６４とを備えている。メイン制御基板３１は、このコネクタ６０に装着されたコネクタ端子６２の配線束６３を介して他の制御基板と情報のやりとりを行う。なお、コネクタ６０は、接合ピン６７を複数（ここでは８本）備えている。
【００３５】
遮蔽部６４は、図３及び図４に示すように、コネクタ６０の下部に形成された矩形の受け皿状の部分であり、メイン制御基板３１の板面に面接触してこれを覆うように板状に形成されている板状部６５と、この板状部６５の外周のまわりに沿って、蓋部材４０に向かうように板状部６５に対して略垂直に形成されている封止壁部６６とを備えている。この遮蔽部６４の外周の輪郭部分Ｍは、開口部４５の周縁Ｌよりも大きく形成されている。封止壁部６６は、蓋部材４０の立壁部４６の外周部分が封止壁部６６の内周部分に略密着するような大きさに設計されている。このため、メイン制御基板３１を収容した蓋部材４０と底部材５０とを一体化した際に、立壁部４６が封止壁部６６の内側に嵌り込む。また、コネクタ６０が固定されたメイン制御基板３１が蓋部材４０に収容されたときに、遮蔽部６４の板状部６５と当接する高さに蓋部材４０の立壁部４６が設計され、蓋部材４０に当接する高さに遮蔽部６４の封止壁部６６が設計されている。このため、メイン制御基板３１を収容した蓋部材４０と底部材５０とを一体化した際に、立壁部４６と板状部６５とが当接し、封止壁部６６と蓋部材４０とが当接するため、蓋部材４０とメイン制御基板３１との隙間が遮蔽部６４により封止される。また、遮蔽部６４は、はんだ付けによりコネクタ６０をメイン制御基板３１に固定する際に、コネクタ６０が熱の影響を受けないような大きさの空間が接合ピン６７の立設面６５ａとメイン制御基板３１の板面との間にできるように形成されている。
【００３６】
次に、コネクタ６０をメイン制御基板３１に固定させ、メイン制御基板３１を基板ケース３０に収容するメイン制御基板収容方法について図４を用いて説明する。ここで、メイン制御基板３１には、コネクタ６０の接合ピン６７を通過させる通過孔３３が複数（ここでは８つ）形成されている。まず、メイン制御基板３１の通過孔３３にコネクタ６０の接合ピン６７を通過させてコネクタ６４をメイン制御基板３１に位置決めする。これにより、遮蔽部６４の板状部６５とメイン制御基板３１の板面とが面接触した状態となる。次に、メイン制御基板３１の裏側からこの接合ピン６７をはんだ付けすることによりコネクタ６０をメイン制御基板３１に固定する。続いて、蓋部材４０に設けた開口部４５からコネクタ６０が露出するようにしてメイン制御基板３１を蓋部材４０に収容する。すると、蓋部材４０の立壁部４６が遮蔽部６４の板状部６５に当接するため、遮蔽部６４により開口部４５からメイン制御基板３１が外部に露出しないようになる。このとき、蓋部材４０の立壁部４６が遮蔽部６４の封止壁部６６の内側に嵌り込む（図３参照）。このため、蓋部材４０とメイン制御基板３１との隙間が封止される。そして、蓋部材４０の鍔状部４３（図２参照）を底部材５０のガイド部５３に嵌め込み、底部材５０をメイン制御基板３１を収容した蓋部材４０に底部材５０をスライドさせ、封止機構（図示せず）により着脱不能に封止して一体化させる。こうして、メイン制御基板３１は、遮蔽部６４により開口部４５から露出しないように基板ケース３０に収容される。
【００３７】
以上詳述した本実施例のパチンコ機２０によれば、コネクタ６０を固定したメイン制御基板３１が基板ケース３０に収容され、基板ケース３０が有する開口部４５からコネクタ６０が外部に露出している。ここで、コネクタ６０は、開口部４５からメイン制御基板３１を外部に露出させないように形成された遮蔽部６４を有している。このため、開口部４５からメイン制御基板３０が外部に露出することはない。したがって、コネクタ６０が固定されている開口部４５の隙間から行われるメイン制御基板３１の不正な改造を防止することができる。また、開口部４５の隙間からメイン制御基板３１の不正な改造が行われたときには、その痕跡が遮蔽部６４に残るため、メイン制御基板３１の不正な改造を認識しやすい。
【００３８】
また、遮蔽部６４の外周Ｍは、開口部４５の周縁Ｌよりも大きく形成されているため、開口部４５の周縁と遮蔽部６４との隙間をこじ開けることも困難になり、一層メイン制御基板３１の不正な改造を防止しやすい。更に、遮蔽部６４は、メイン制御基板３１に面接触するように形成されている板状部６５を備えているため、メイン制御基板３１が板状部６５によって密着して保護され、メイン制御基板３１の不正な改造を防止しやすい。更にまた、遮蔽部６４は、蓋部材４０とメイン制御基板３１との隙間を封止するように開口部４５の周縁に沿って形成されている封止壁部６６を備えているため、蓋部材４０とメイン制御基板３１との隙間を利用してメイン制御基板３１に不正を働くことも困難になり、一層メイン制御基板３１の不正な改造を防止しやすい。そして、蓋部材４０は、開口部４５の周縁に沿って形成されている封止壁部６６の内側に嵌り込むように形成されている立壁部４６を備えているため、開口部４５から異物などを挿入しにくく、メイン制御基板３１の不正な改造を防止しやすい。
【００３９】
更に、メイン制御基板３１には、複数のコネクタ６０が固定され、複数のコネクタ６０には、各コネクタごとに遮蔽部６４が形成されているため、各コネクタごとに開口部４５からメイン制御基板３１を外部に露出させないようにすることができる。また、遮蔽部６４は、接合ピン６７の立設面６５ａとメイン制御基板３１の板面との間に空間ができるように形成されているため、接合ピン６７の立設面６５ａがメイン制御基板３１に接することなく、はんだ付けなどにより接合ピン６７をメイン制御基板３１に接合する際に熱の影響を受けてコネクタ６０が変形したり加熱したコネクタ６０が接合ピンに流動したりして起きる接合ピン６７とメイン制御基板３１との接合不良を防止することができる。
【００４０】
なお、本発明は上述した実施例に何ら限定されることはなく、本発明の技術的範囲に属する限り種々の態様で実施し得ることはいうまでもない。
【００４１】
また、以下の説明において、上述した実施例と同じ構成については同じ符号を付しその説明を省略した。
【００４２】
例えば、上述した実施例では、立壁部４６を備えている蓋部材４０からなる基板ケース３０としたが、図５（ａ）に示すように、立壁部４６を備えていない蓋部材４０Ｂからなる基板ケース３０Ｂとしてもよい。こうしても、コネクタ６０Ｂが固定されている開口部４５の隙間から行われるメイン制御基板３１の不正な改造を防止することができる。また、上述した実施例では、メイン制御基板３１に面接触するように形成した板状部６５を備えているコネクタ６０からなる基板ケース３０としたが、図５（ｂ）に示すように、蓋部材４０に面接触する板状部材６５を備えたコネクタ６０Ｃからなる基板ケース３０Ｃとしてもよい。このとき、封止壁部６６は、蓋部材４０からメイン制御基板３１に向かってメイン制御基板３１に当接するように形成してもよい。こうしても、コネクタ６０Ｃが固定されている開口部４５の隙間から行われるメイン制御基板３１の不正な改造を防止することができる。更に、上述した実施例では、封止壁部６６を備えているコネクタ６０からなる基板ケース３０としたが、図５（ｃ）に示すように、封止壁部６６を備えていないコネクタ６０Ｄからなる基板ケース３０Ｄとしてもよい。こうしても、コネクタ６０Ｄが固定されている開口部４５の隙間から行われるメイン制御基板３１の不正な改造を防止することができる。更にまた、上述した実施例では、立壁部４６を備えている蓋部材４０と、封止壁部６６を備えているコネクタ６０とからなる基板ケース３０としたが、図５（ｄ）に示すように、立壁部４６を備えていない蓋部材４０Ｅと、封止壁部６６を備えていない遮蔽部６４Ｅとからなる基板ケース３０Ｅとしてもよい。こうしても、コネクタ６０Ｅが固定されている開口部４５の隙間から行われるメイン制御基板３１の不正な改造を防止することができる。なお、上述した実施例では、立壁部４６及び封止壁部６６は、開口部４５の周縁を一周するように形成したが、これらを開口部４５の周縁の一部に形成してもよい。
【００４３】
また、上述した実施例では、コネクタ６０ごとに遮蔽部６４が形成されているものを用いたが、図６に示すように、複数のコネクタが遮蔽部６４により一体となって形成されている一体化コネクタ６０Ｆを用いてもよい。こうすれば、遮蔽部６４を利用して複数のコネクタを一体化することができ、メイン制御基板３１に組み付けやすい。このとき、図６及び図７に示すように、遮蔽部６４は、メイン制御基板３１Ｆとの取り付け用の位置決め部６８を備えていてもよい。図６はコネクタ６０Ｆの説明図であり、図７は、基板ケース３０Ｆの説明図である。具体的には、コネクタ６０Ｆの裏面から突出した接合ピン６７よりも長くなるように位置決め部６８を遮蔽部６４の裏面に形成し、メイン制御基板３１Ｆには、コネクタ６０Ｆを位置決めする位置決め穴３４を通過孔３３の周辺に複数（例えば４つ）形成する。こうすれば、図７に示すように、一体化したコネクタ６０Ｆの位置決め部６８が位置決め穴３４に差し込まれたあと、接合ピン６７が通過孔３３を通過するようになるため、位置決め部６８を利用してコネクタ６０Ｆをメイン制御基板３１に配置しやすい。また、組み付け時にコネクタ６０Ｆを机上などで待機させる場合、位置決め部６８が接合ピン６７より長く足の代わりになり接合ピン６７が机上に接することがないため接合ピン６７を保護することができる。
【００４４】
更に、遮蔽部６４は、可撓性を有する部材（例えばプラスチックなど）により形成されていてもよい。こうすれば、遮蔽部６４の封止壁部６６が撓むことができるため、立壁部４６が封止壁部６６に嵌りやすい。このため、蓋部材４０及び底部材５０の材質やこれらを一体化させる方法など基板ケース３０の設計がしやすくなる。
【００４５】
更にまた、上述した実施例では、基板ケース３０は、コネクタ６０が外部に露出する開口部４５を有しメイン制御基板３１を収容する蓋部材４０と、蓋部材４０に対してスライドして蓋部材４５に一体化される底部材５０とを備えているものとしたが、図７に示すように、基板ケース３０Ｇは、コネクタ６０が外部に露出する開口部４５を有しメイン制御基板３１を収容する底部材５０Ｇと、底部材に対して蝶番部３９により回動して底部材５０に一体化される蓋部材４０Ｇとを備えているものとしてもよい。このように、回動して蓋部材４０Ｇと底部材５０Ｇとが一体化される基板ケース３０Ｇでは、蓋部材４０Ｇの開口部４５が弧を描いて開口部４５からコネクタ６０が露出するようになるため、例えばスライド式のものに比べて開口部４５が大きくなる。したがって、本発明を適用する意義が高い。このとき、遮蔽部６４は、可撓性を有する部材（例えばプラスチックなど）により形成されていることが好ましい。蓋部材４０Ｇが回動すると、蓋部材４０Ｇが弧を描いて遮蔽部６４に当接するためである。
【００４６】
あるいは、図９に示すように、基板ケース３０Ｈは、メイン制御基板３１を収容する底部材５０Ｈと、コネクタ６０が外部に露出する開口部４５を有しメイン制御基板３１のうちコネクタ６０が固定されている部分を覆うコネクタ収容蓋４２Ｈ（第１蓋部材）と、メイン制御基板３１のうちコネクタ収容蓋４２Ｈによって覆われている部分以外の部分を覆うように形成されている主回路収容蓋４１Ｈ（第２蓋部材）とを備えているものとしてもよい。このように、蓋部材が２つの部材からなる基板ケースに適用することができる。このとき、主回路収容蓋４１Ｈ及びコネクタ収容蓋４２Ｈは、メイン制御基板３１を収容し、底部材５０Ｈは、主回路収容蓋４１Ｈ及びコネクタ収容蓋４２Ｈに対してスライドして主回路収容蓋４１Ｈ及びコネクタ収容蓋４２Ｈに一体化されてもよいし、あるいは、底部材はメイン制御基板３１を収容し、主回路収容蓋は、底部材に対して蝶番部により回動して底部材に一体化されてもよい。また、基板ケース３０の蓋部材が３つ以上の部材から構成されていてもよいし、基板ケース３０の底部材が２つ以上の部材から構成されていてもよい。
【００４７】
そして更に、本実施例では、メイン制御基板３１に遮蔽部６４を有するコネクタ６０を適用したが、上述した払出制御基板、表示制御基板、ランプ制御基板及び音声制御基板など他の制御基板に遮蔽部６４を有するコネクタ６０を適用してもよい。
【００４８】
そして更にまた、上述した実施例では、パチンコ機２０を例にとって説明したが、本発明が適用可能な遊技機はパチンコ機に限定されるものではなく、遊技球の入球に伴って当否判定を行う全ての遊技機、例えばパチンコ機とスロットマシンとを融合させた遊技機などにも適用することができるのは勿論である。あるいは、スロットマシンに適用することも可能である。
【符号の説明】
【００４９】
１ 外枠、３ ヒンジ、４ 前枠、６ タンク、８ 遊技球払出装置、１０ タンクレール、１２ 払出メイン制御基板、１４ 大型カバー、１６ ステップモータ、２０ パチンコ機、３０，３０Ｂ〜３０Ｈ 基板ケース、３１，３１Ｆ メイン制御基板、３３ 通過孔、３４ 位置決め穴、３９ 蝶番部、４０，４０Ｂ〜４０Ｈ 蓋部材、４１ 主回路収容部、４１Ｈ 主回路収容蓋、４２ コネクタ収容部、４２Ｈ コネクタ収容蓋、４３ 鍔状部、４５ 開口部、４６ 立壁部、５０，５０Ｂ〜５０Ｈ 底部材、５２ 段差部、５３ ガイド部、６０，６０Ｂ〜６０Ｈ コネクタ、６１ 端子差込口、６２ コネクタ端子、６３ 配線束、６４ 遮蔽部、６５ 板状部、６５ａ 立設面、６６ 封止壁部、６７ 接合ピン、６８ 位置決め部。
【図１】
2010240479.tif 000003
【図２】
2010240479.tif 000004
【図３】
2010240479.tif 000005
【図４】
2010240479.tif 000006
【図５】
2010240479.tif 000007
【図６】
2010240479.tif 000008
【図７】
2010240479.tif 000009
【図８】
2010240479.tif 000010
【図９】
2010240479.tif 000011